(57)【要約】【課題】  カーブのある排水管でも該排水管内の清掃作業を円滑にかつ効率よく行え、小型であるため安価に製作することができ、しかも素人でも容易に操作ができ、特に家庭用あるいはオフィス用として利便性が高い排水管清掃装置を提供すること。【解決手段】  この排水管清掃装置１は、排水管内に排出ゴミ等による詰まりが生じたときに迅速に詰まりを解消するのに用いるものである。空気圧縮機５を収容した装置本体２と、該本体の先端部に着脱可能に装着される清掃部３とを具えている。清掃部３は、先端に径大部２３を有する所定長さのワイヤ１５と、該ワイヤを収容したワイヤ収容筒１６とからなり、ワイヤ１５は、基端がワイヤ収容筒１６に固定されているとともに、径大部２３がワイヤ収容筒の先端開口に外部を臨むように装着され、空気圧縮機５からの圧縮空気により径大部２３を先頭にして先端開口から押し出されその長さの範囲内で突出するようになっている。【選択図】      図１
0003162677.tif 000002
【実用新案登録請求の範囲】
【請求項１】
排水管内に排出ゴミ等による詰まりが生じたときに迅速に詰まりを解消するのに用いる清掃装置であって、
空気圧縮機を収容した装置本体と、該本体の先端部に着脱可能に装着される清掃部とを具え、前記清掃部は、先端に径大部を有する所定長さのワイヤと、該ワイヤを収容したワイヤ収容筒とからなり、前記ワイヤは、基端がワイヤ収容筒に固定されているとともに、径大部がワイヤ収容筒の先端開口に外部を臨むように装着され、前記空気圧縮機からの圧縮空気により径大部を先頭にして先端開口から押し出されその長さの範囲内で突出するようになっていることを特徴とする排水管清掃装置。
【請求項２】
請求項１に記載の排水管清掃装置において、清掃部と交換可能に装置本体の先端部に着脱可能に装着される第２の清掃部を具え、前記第２の清掃部は、先端にノズル口を有する噴出しノズルと、該ノズルを収容したノズル収容筒と、該ノズル収容筒に前記ノズルと連通可能に設けられた洗浄液供給管とからなり、前記ノズルは、ノズル口がノズル収容筒の先端開口に外部を臨むように装着され、第２の清掃部が装置本体の先端部に装着されると前記空気圧縮機と連通し、該空気圧縮機からの圧縮空気により洗浄液供給管から供給される洗浄液をノズル口から高圧で噴出するようになっていることを特徴とする排水管清掃装置。
【請求項３】
請求項１又は２に記載の排水管清掃装置において、径大部は、開閉可能な複数の掴持片からなり、開放状態から閉鎖状態になる過程で固形物を掴持可能となっていることを特徴とする排水管清掃装置。
【考案の詳細な説明】
【技術分野】
【０００１】
この考案は、排水管清掃装置に関し、より詳しくは例えば排水管内に排水ゴミ等による詰まりが生じたときに迅速に詰まりを解消することができる技術に係るものである。
【背景技術】
【０００２】
従来、この種の清掃装置の一例として、例えば実開昭６３−１６８８４号公報（特許文献１）に開示されているような、ワイヤ先端に球形部を突出形成するジョイントを一体連結し、該ジョイント先端の球形部に引掛具を方向自在に嵌合したもの等が知られている。
【０００３】
すなわち、特許文献１の清掃装置は、当該公報の図２，３に記載のように、清掃に際して回転ドラムから繰り出したワイヤと引掛具を排水管内に挿入した後、ドラム等が回動する。それに伴ってワイヤも排水管内で蛇行状に回転するとともに、ワイヤ先端側の引掛具がジョイントの突片と干渉して拡角回転する。これによりワイヤと排水管内壁とが摺接して該内壁に付着堆積するヘドロや錆等を削除するとともに、排水管内に詰まったゴミを引掛具の先端に巻き付けて取り出すことができるものである。
【０００４】
しかしながら、特許文献１の清掃装置では、ワイヤや引掛具がある程度曲がることが可能であるが、カーブのある排水管ではカーブ部分に引っかかり易く、ワイヤ等と排水管内壁との円滑な摺接による清掃作業が期待できないことがある。また、装置的にも大型で、事業者が営業に用いるものであって、個人が家庭やオフィスで用いるものではなく、しかも高価であって素人ではなかなか操作ができないという問題があった。
【先行技術文献】
【特許文献】
【０００５】
【特許文献１】実開昭６３−１６８８４号公報
【考案の概要】
【考案が解決しようとする課題】
【０００６】
そこでこの考案は、前記のような従来の問題点を解決することができ、カーブのある排水管でも該排水管内の清掃作業を円滑にかつ効率よく行え、小型であるため安価に製作することができ、しかも素人でも容易に操作ができ、特に家庭用あるいはオフィス用として利便性が高い排水管清掃装置を提供することを目的とする。
【課題を解決するための手段】
【０００７】
前記課題を解決するために、請求項１に記載の考案は、排水管内に排出ゴミ等による詰まりが生じたときに迅速に詰まりを解消するのに用いる清掃装置であって、空気圧縮機を収容した装置本体と、該本体の先端部に着脱可能に装着される清掃部とを具え、前記清掃部は、先端に径大部を有する所定長さのワイヤと、該ワイヤを収容したワイヤ収容筒とからなり、前記ワイヤは、基端がワイヤ収容筒に固定されているとともに、径大部がワイヤ収容筒の先端開口に外部を臨むように装着され、前記空気圧縮機からの圧縮空気により径大部を先頭にして先端開口から押し出されその長さの範囲内で突出するようになっていることを特徴とする。ワイヤの先端の径大部としては、多少重さのある球状体とするのが好ましく、このような球状体であれば詰まりに衝撃を与えて破壊することが容易である。
【０００８】
請求項２に記載の考案は、請求項１に記載の排水管清掃装置において、清掃部と交換可能に装置本体の先端部に着脱可能に装着される第２の清掃部を具え、前記第２の清掃部は、先端にノズル口を有する噴出しノズルと、該ノズルを収容したノズル収容筒と、該ノズル収容筒に前記ノズルと連通可能に設けられた洗浄液供給管とからなり、前記ノズルは、ノズル口がノズル収容筒の先端開口に外部を臨むように装着され、第２の清掃部が装置本体の先端部に装着されると前記空気圧縮機と連通し、該空気圧縮機からの圧縮空気により洗浄液供給管から供給される洗浄液をノズル口から高圧で噴出するようになっていることを特徴とする。
【０００９】
請求項３に記載の考案は、請求項１又は２に記載の排水管清掃装置において、径大部は、開閉可能な複数の掴持片からなり、開放状態から閉鎖状態になる過程で固形物を掴持可能となっていることを特徴とする。
【考案の効果】
【００１０】
この考案は、前記のようであって、請求項１ないし３に記載の考案によれば、空気圧縮機を収容した装置本体と、該本体の先端部に着脱可能に装着される清掃部とを具え、前記清掃部は、先端に径大部を有する所定長さのワイヤと、該ワイヤを収容したワイヤ収容筒とからなり、前記ワイヤは、基端がワイヤ収容筒に固定されているとともに、径大部がワイヤ収容筒の先端開口に外部を臨むように装着され、前記空気圧縮機からの圧縮空気により径大部を先頭にして先端開口から押し出されその長さの範囲内で突出するようになっているので、カーブのある排水管でもワイヤを迅速に送り込んで該排水管内の詰まりを簡単に取り除いて水流をスムーズにすることができ、清掃作業を円滑にかつ効率よく行うことができる。しかも、小型であるため安価に製作することができるとともに、置き場所もとらないのに加え、素人でも容易に操作ができ、家庭用あるいはオフィス用として利便性が高いという優れた効果がある。
【図面の簡単な説明】
【００１１】
【図１】この考案の一実施の形態を示す、排水管清掃装置の正面図で、装置本体と清掃装置の装着前の状態を示している。
【図２】操作スイッチ部を示す図面である。
【図３】径大部の開放状態を示す図面である。
【図４】第２の清掃装置を示す正面図である。
【図５】台所の排水口と連通する排水管の清掃をしている状況を示す作用説明図である。
【図６】径大部の掴持片で固形物を掴持する状況を示す作用説明図である。
【考案を実施するための形態】
【００１２】
以下、図面を参照しながら、この考案の一実施の形態に係る排水管清掃装置について説明する。
【００１３】
図１において１は排水管清掃装置を示し、この清掃装置１は、空気圧縮機であるエアコンプレッサを収容した装置本体２と、該本体の先端部に着脱可能に装着される清掃部３とを具えている。装置本体２は取手４を有し、携行可能な中空円筒状の樹脂製容器からなり、内部にエアコンプレッサ５を収容している。エアコンプレッサ５は、装置本体２の外面に設けた操作スイッチ部６により駆動するモータ７を有し、該モータの回転をコンプレッサ本体のピストンによる往復運動に変換し、該ピストンの往復運動で空気を圧縮し、タンク内に空気を溜める。空気タンク内の最高圧力は、一般的には０．７８Ｍｐａ（約８ｋｇｆ／ｃｍ2）である。空気タンクの空気吐出口には電磁開閉弁８が設けられている。また、開閉弁８のある吐出口から装置本体２の一端開口近くまで圧管９が延び、該管の途中には空気タンクから送られてくる圧縮空気の圧をさらに高めるためのシリンダ１０が設けられている。
【００１４】
操作スイッチ部６は、図２に示すように０〜３までの識別番号が付された４つのスイッチ６ａ〜６ｄからなっている。スイッチ６ａは、電源投入用であり、装置本体２から外部に延びるコードの先端に設けたプラグ１１を電源コンセントに差し込んでオンすると電源が投入され、オフすると消電する。電源が投入された状態ではモータ７はノーマルに保たれる。スイッチ６ｂは、オンするとモータ７が駆動されて回転（正回転）し、エアコンプレッサ５を作動する。スイッチ６ｃは、オンするとモータ７の回転数がさらに上がり、圧縮空気を増圧するものであり、スイッチ６ｄは、オンするとモータ７が逆回転し、このモータ７の逆回転により、コンプレッサ５が前記とは逆に空気を吸い込むように作動する。図１で１２は点灯ランプであり、圧縮された空気により後述する清掃部のワイヤが全て外部に突出すると点灯する。１３は装置本体２の一端部に形成された接続筒部で、その外周面には雄ねじ１４が形成されている。
【００１５】
清掃部３は、先端に径大部を有する所定長さのワイヤ１５と、該ワイヤを収容したワイヤ収容筒１６とを具えている。ワイヤ収容筒１６は中空円筒状の樹脂製容器からなり、基端側、つまり装置本体２の先端側に接続筒部１７が設けられ、その内周面には接続筒部１３の雄ねじ１４に螺合する雌ねじ１８が形成されている。そして、両接続筒部１３，１７の両ねじ１４，１８の螺合により清掃部３は装置本体２に着脱可能に接続される。接続筒部１７との境のワイヤ収容筒１６内には仕切壁１９が密閉状に設けられ、該仕切壁には清掃部３が装置本体２に着脱可能に装着されたとき圧管９の先端開口と気密に接続される圧管２０がワイヤ収容筒１６と連通して設けられている。気密に接続する方式としては両圧管９，２０の先端の嵌挿、密接等いずれでもよい。
【００１６】
仕切壁１９を介して圧管２０と反対側となるワイヤ収容筒１６内にはころがり軸受などのベアリング２１が該仕切壁と対面隣接して設けられている。ベアリング２１よりワイヤ収容筒１６の先端側内壁には螺旋状の凹溝２２が設けられ、該凹溝にワイヤ１５を巻装して収容している。ワイヤ１５は、３〜１０ｍの長さ、好ましくは５ｍの長さを有し、基端がベアリング２１の内輪に固定されているとともに、固定された基端から先端側は凹溝２２に抜け止め、かつ位置決めされて螺旋状に巻装収容されている。凹溝２２に巻装して収容しているのはワイヤ１５が重ならないように、またワイヤ１５を出し易くするためである。そして、ワイヤ１５は、先端に径大部２３を有する先端部がワイヤ収容筒１６の先端開口に配置した固定ガイド２４を介して外部を臨むように装着される。固定ガイド２４は、例えばワイヤ収容筒１６と同材料から形成された別体のものをワイヤ収容筒１６の先端開口に装着し接着固定させてもよいし、あるいはワイヤ収容筒１６の先端開口に最初から一体ものとして形成してもよい。ワイヤ１５は、１本ものでもよいし、あるいは細いワイヤを数本編んで１本ものとしたものでもよい。また、ワイヤ１５は外周を薄いグラスファイバーで覆うようにしてもよい。
【００１７】
前記のベアリング２１の内輪には中空状の中心軸が支持され、かつ該軸の適所には図示しないプロペラが一体に設けられている。このように構成されたベアリング２１は、圧管２０から圧縮空気が送られてくると、該空気を前記中心軸の中空内部を通してワイヤ収容筒１６側へ送るとともに、前記プロペラでもその空気を受けて、例えば先端軸線方向に対して時計方向に回転してワイヤ１５を巻き解くように作用する。逆に、圧管２０から圧縮空気が吸引されるようになると、ベアリング２１は、やはりその空気を前記プロペラで受けて、反時計方向に逆回転してワイヤ１５を巻き戻すように作用する。
【００１８】
径大部２３は、いわゆる多指ハンドロボットのようなものであり、図３に示すように複数（例えば３本）の金属製の掴持片２３ａからなっており、これら掴持片２３ａで多少重さのある球状体を形成する。すなわち、各掴持片２３ａは外向きに湾曲した指爪状を呈した同一形状に形成され、その基端がワイヤ１５の先端と径大部２３をジョシント支持する支持片２５に枢支ピン２６で枢支されることにより、先端側が開閉する構造となっており、清掃を行う常態では閉鎖した球状体の状態にされている。しかし、排水管内に固形物を落とした時等には固形物の近くで開放かつ閉鎖することにより固形物を掴みそのまま把持して引き上げて取り出すことが可能になっている。固形物を発見するために支持片２５にはいずれも図示省略したがセンサと各掴持片２３ａを開閉作動する超小型サーボモータが取り付けられている。また、装置本体２側から電源を得るべく該本体に設けたプラグ２７と接続可能なコンセント２８、及び前記サーボモータ等のスイッチ２９がワイヤ収容筒１６の外面に設けられている（図１参照）。
【００１９】
前記のように、この実施の形態で示す径大部２３は金属製の掴持片２３ａからなっているが、単なる金属製の部片で丸く径大部に形成したものでもよい。しかも、径大部を網目のあるものとしてもよく、径大部をこのような網目のあるものにすれば髪の毛が詰まったときに該髪の毛を網目によって捕捉して効果的に除去することができる。要は、髪の毛や食べ物の粕、油の汚れ粕等が詰まって排水がうまくできなくなったような詰まり部に衝撃を与えて打ち破り破壊することができるものであれば、どのような形状、構造のものでもよい。また、径大部２３をその枢支されている支持片２５の部分で軸線周りに回転自在の構成としてもよい。このようにすれば髪の毛の除去に際し網目とでさらに効果的な除去が可能となり、その相乗効果が図れる利点がある。
【００２０】
図４は第２の清掃部を示す。第２の清掃部３３は、前記清掃部３と交換可能に装置本体２の先端部に着脱可能に装着される。第２の清掃部３３は、先端にノズル口３４ａを有する噴出しノズル３４と、該ノズルを収容したノズル収容筒３５と、該ノズル収容筒に前記ノズル３４と連通可能に設けられた洗浄液供給管３６とを具えている。ノズル収容筒３５は中空円筒状の樹脂製容器からなり、基端側、つまり装置本体２の先端側に接続筒部１３の雄ねじ１４に螺合する雌ねじ３８が内周面に形成された接続筒部３７が設けられ、これら両接続筒部１３，３７の両ねじ１４，３８の螺合により清掃部３３は装置本体２に着脱可能となっている。
【００２１】
前記のようにノズル収容筒３５内にはノズル３４が同心状に配置され、ノズル口３４ａはノズル収容筒３５の先端開口に外部を臨むように装着されている。ノズル３４のノズル口３４ａと反対側の口部３４ｂは、第２の清掃部３３が装置本体２の先端部に着脱可能に装着されると装置本体２の圧管９の先端と接続して連通可能になっている。また、口部３４ｂのややノズル口３４ａ側の位置には洗浄液供給管３６の先端が接続されており、該管から供給される洗浄液が装置本体２内のエアコンプレッサ５から送られてくる圧縮空気によりノズル口３４ａへ向けて高圧で噴出するようになっている。洗浄液供給管３６としては、この実施の形態では水道水供給管としており、水道水蛇口に接続される。４１は洗浄液供給管３６に設けた電磁開閉弁４２を作動するための引き金であり、この引き金４１を矢印方向へ引くと開閉弁４２が開き、洗浄液が洗浄液供給管３６からノズル３４のノズル口３４ａ側へ流れる。
【００２２】
使用に際しては、清掃装置１を使用場所まで携行し、装置本体２と清掃部３を、両接続筒部１３，１７を接続したうえで、例えば図５に示すように家庭内の台所の排水口４５に清掃部３の先端側が下向となるように設置する。そして、プラグ１１を、コードを引き出して図示しないコンセントに差し込んだ後、スイッチ６ａをオンして電源を投入する。さらに、スイッチ６ｂをオンすると、モータ７が回転駆動してコンプレッサ５が作動開始し、これにより圧縮空気が徐々にタンク内に溜まる。また、スイッチ６ｂのオンにより増圧作用が行われるとともに、開閉弁８が開き、タンク内の圧縮空気がシリンダ１０に向けて流れるとともに、シリンダ１０でさらに圧を高められて圧管９から圧管２０、圧管２０からベアリング２１の内輪内に形成の空間へと流れ、そこからワイヤ収容筒１６内に入り込み、ワイヤ１５を先端開口から一気に突出させる。そして、突出させられたワイヤ１５は先端にある径大部２３を先頭に排水口４５と連通している排水管４６内に送り込まれ、詰まりのある部分まで達し、該径大部で詰まり部４７を打ち破り破壊して管内を開通させる。前記に際して、ワイヤ１５はプロペラを介してベアリング２１が時計方向に回転させられることにより巻き解かれる。
【００２３】
排水管４６の管内を開通させた後、スイッチ６ｄをオンして今度はコンプレッサ５を、空気を吸引するように作動すると、この吸引空気によりワイヤ１５は次第にワイヤ収容筒１６内に引き込まれて収容され、かつ径大部２３が先端開口に装着された元の状態に復帰する。前記に際して、ワイヤ１５は吸引空気を受けるプロペラによってベアリング２１が反時計方向に逆回転させられることにより巻き戻され、元のように凹溝２２内に巻装される。
【００２４】
次に、排水口４５からその設置を一旦解くとともに、清掃部３の接続筒部１７と装置本体２の接続筒部１３との螺合を解き、清掃部３を装置本体２から取り外す。そのうえで今度は第２の清掃部３３の接続筒部３７の雌ねじ３８と装置本体２の接続筒部１３の雄ねじ１４とを螺合して接続し、取り付ける。このとき装置本体２の圧管９の先端が第２の清掃部３３のノズル３４の口部３４ｂと連通した状態となる。そして、前記取付後、前記と同様に排水口４５に清掃部３３の先端側が下向となるように設置する。そして、スイッチ６ｂをオンして、モータ７を回転駆動してコンプレッサ５を作動開始するとともに、引き金４１を引いて開閉弁４２を開き洗浄液供給管３６からノズル３４に向けて洗浄液を送ると、洗浄液が圧縮空気によりノズル口３４ａから高圧で噴出し、詰まり部４７の管内壁に付着する付着物等を流し落としてきれいに清掃する。
【００２５】
清掃装置の異なる使用例について、図６を参照して説明する。例えば排水口４５にうっかりして固形物４８、例えば入れ歯とか指輪とかを流してしまうことがあり、それが手の届かないところであると回収困難となる。そこで、この実施の形態ではこのような落下物である固形物４８を回収可能なように径大部２３を前記のような複数の金属製の掴持片２３ａで構成しているのである。そのため、回収に際しては、支持片２５に設けたセンサで径大部２３が固形物４８の近くまで行くように誘導する。そして、図示しない制御装置によりサーボモータを駆動して各掴持片２３ａを開閉して、固形物４８を掴む。掴んだ後は、前記と同様にエアコンプレッサ５を空気吸い込みと成るように作動し、ワイヤ１５を巻き戻して固形物４８を引き上げ回収する。
【００２６】
なお、前記実施の形態は、あくまでも一例を示したにすぎず、装置本体２や清掃部３、第２の清掃部３３の細部構成は任意のものにすることができる。また、装置本体２と清掃部３や第２の清掃部３３との着脱機構は実施の形態で示した雄雌ねじ螺合方式に限らず、他の方式としてもよいし、第２の清掃部３３の洗浄液供給管３６から供給する液体としては水道水が好ましいが、洗浄に効果がある特殊な液体でもよいことは勿論である。
【符号の説明】
【００２７】
１  排水管清掃装置
２  装置本体
３  清掃部
４  取手
５  エアコンプレッサ（空気圧縮機）
６  操作スイッチ部
７  モータ
８  電磁開閉弁
９，２０  圧管
１５  ワイヤ
１６  ワイヤ収容筒
１３，１７，３７  接続筒部
２１  ベアリング
２２  螺旋状凹溝
２３  径大部
３３  第２の清掃部
３４  噴出しノズル
３５  ノズル収容筒
３６  洗浄液供給管
【図１】
0003162677.tif 000003
【図２】
0003162677.tif 000004
【図３】
0003162677.tif 000005
【図４】
0003162677.tif 000006
【図５】
0003162677.tif 000007
【図６】
0003162677.tif 000008